(57)【要約】【課題】水中で動画を撮影する際、繁雑な操作を行わなくても、自動的に明瞭な音声を記録することができる水中ビデオカメラ等を提供することを目的とする。【解決手段】周囲の音声を集音し音声信号を出力するマイクロフォン４と、周囲の水圧を検出し結果を出力する水圧センサ５と、前記マイクロフォンの出力に対して前記水圧センサの出力に応じて特性が変化するフィルタによるフィルタリング処理を行う音声信号処理装置７と、該音声信号処理装置が出力する音声信号を記録する記録装置８とを備えることにより上記課題を解決する。【選択図】図１
2008166948.tif 000002
【特許請求の範囲】
【請求項１】
周囲の音声を集音し音声信号を出力するマイクロフォンと、周囲の水圧を検出し結果を出力する水圧センサと、前記マイクロフォンの出力に対して前記水圧センサの出力に応じて特性が変化するフィルタによるフィルタリング処理を行う音声信号処理装置と、該音声信号処理装置が出力する音声信号を記録する記録装置とを備える水中ビデオカメラ。
【請求項２】
周囲の音声を集音し音声信号を出力するマイクロフォンと、周囲の環境が大気中であるか水中であるかを検出し結果を出力する水検出手段と、前記マイクロフォンの出力に対して前記水検出手段の出力に応じて特性が変化するフィルタによるフィルタリング処理を行う音声信号処理装置と、該音声信号処理装置が出力する音声信号を記録する記録装置とを備える水中ビデオカメラ。
【請求項３】
周囲の水圧を検出し結果を出力する水圧センサを有する防水ハウジングと、
周囲の音声を集音し音声信号を出力するマイクロフォンと前記マイクロフォンの出力に対して前記水圧センサの出力に応じて特性が変化するフィルタによるフィルタリング処理を行う音声信号処理装置と該音声信号処理装置が出力する音声信号を記録する記録装置とを有するビデオカメラと、
前記防水ハウジングおよび前記ビデオカメラの間を電気的に接続し前記水圧センサの出力を前記音声信号処理装置に伝達できるようにした信号伝達手段と
を備える水中ビデオカメラシステム。
【請求項４】
周囲の環境が大気中であるか水中であるかを検出し結果を出力する水検出手段を有する防水ハウジングと、
周囲の音声を集音し音声信号を出力するマイクロフォンと前記マイクロフォンの出力に対して前記水検出手段の出力に応じて特性が変化するフィルタによるフィルタリング処理を行う音声信号処理装置と該音声信号処理装置が出力する音声信号を記録する記録装置とを有するビデオカメラと、
前記防水ハウジングおよび前記ビデオカメラの間を電気的に接続し前記水検出手段の出力を前記音声信号処理装置に伝達できるようにした信号伝達手段と
を備える水中ビデオカメラシステム。
【請求項５】
周囲の音声を集音し音声信号を出力するマイクロフォンと周囲の水圧を検出し結果を出力する水圧センサとを有する防水ハウジングと、
前記マイクロフォンの出力に対して前記水圧センサの出力に応じて特性が変化するフィルタによるフィルタリング処理を行う音声信号処理装置と該音声信号処理装置が出力する音声信号を記録する記録装置とを有するビデオカメラと、
前記防水ハウジングおよび前記ビデオカメラの間を電気的に接続し前記マイクロフォン及び前記水圧センサの出力を前記音声信号処理装置に伝達できるようにした信号伝達手段と
を備える水中ビデオカメラシステム。
【請求項６】
周囲の音声を集音し音声信号を出力するマイクロフォンと周囲の環境が大気中であるか水中であるかを検出し結果を出力する水検出手段とを有する防水ハウジングと、
前記マイクロフォンの出力に対して前記水検出手段の出力に応じて特性が変化するフィルタによるフィルタリング処理を行う音声信号処理装置と該音声信号処理装置が出力する音声信号を記録する記録装置とを有するビデオカメラと、
前記防水ハウジングおよび前記ビデオカメラの間を電気的に接続し前記マイクロフォン及び前記水検出手段の出力を前記音声信号処理装置に伝達できるようにした信号伝達手段と
を備える水中ビデオカメラシステム。
【発明の詳細な説明】
【技術分野】
【０００１】
本発明は、水中ビデオカメラ及び水中ビデオカメラシステムに関し、特に、水中で動画を撮影する際、繁雑な操作を行わなくても、自動的に明瞭な音声を記録することができるようにした水中ビデオカメラ及び水中ビデオカメラシステムに関する。
【背景技術】
【０００２】
水中でビデオカメラを使用した場合に、音声を改善する音声補正装置が特許文献１に開示されている。
【０００３】
また、水中撮影時の水面からの深さに応じてホワイトバランス調整を行う電子カメラが特許文献２に開示されている。
【特許文献１】特開平５−９５５００号公報
【特許文献２】特開２００４−２８２４６０号公報
【発明の開示】
【発明が解決しようとする課題】
【０００４】
ところが、従来のビデオカメラ、特に小型デジタルカメラにおいては、画像の補正機能に比べると音声の補正機能は重視されているとは言えず、明瞭な音声を記録するためには、外付けの大がかりな防水マイクロフォンやイコライザを接続する必要があったり、ユーザが環境に応じて繁雑な操作を行う必要があったり、あるいはカメラ本体に内蔵された低品質な内蔵マイクロフォンで音声を記録することしかできなかった。
【０００５】
上述のような従来技術の課題に鑑み、本発明は、水中ビデオカメラ及び水中ビデオカメラシステムにおいて、水中で動画を撮影する際、繁雑な操作を行わなくても、自動的に明瞭な音声を記録することができることを目的とする。
【課題を解決するための手段】
【０００６】
上記目的を達成するため、本発明の水中ビデオカメラは、周囲の音声を集音し音声信号を出力するマイクロフォンと、周囲の水圧を検出し結果を出力する水圧センサと、前記マイクロフォンの出力に対して前記水圧センサの出力に応じて特性が変化するフィルタによるフィルタリング処理を行う音声信号処理装置と、該音声信号処理装置が出力する音声信号を記録する記録装置とを備える。また、本発明の水中ビデオカメラは、周囲の音声を集音し音声信号を出力するマイクロフォンと、周囲の環境が大気中であるか水中であるかを検出し結果を出力する水検出手段と、前記マイクロフォンの出力に対して前記水検出手段の出力に応じて特性が変化するフィルタによるフィルタリング処理を行う音声信号処理装置と、該音声信号処理装置が出力する音声信号を記録する記録装置とを備える。
【０００７】
また、本発明の水中ビデオカメラシステムは、周囲の水圧を検出し結果を出力する水圧センサを有する防水ハウジングと、周囲の音声を集音し音声信号を出力するマイクロフォンと前記マイクロフォンの出力に対して前記水圧センサの出力に応じて特性が変化するフィルタによるフィルタリング処理を行う音声信号処理装置と該音声信号処理装置が出力する音声信号を記録する記録装置とを有するビデオカメラと、前記防水ハウジングおよび前記ビデオカメラの間を電気的に接続し前記水圧センサの出力を前記音声信号処理装置に伝達できるようにした信号伝達手段とを備える。また、本発明の水中ビデオカメラシステムは、周囲の環境が大気中であるか水中であるかを検出し結果を出力する水検出手段を有する防水ハウジングと、周囲の音声を集音し音声信号を出力するマイクロフォンと前記マイクロフォンの出力に対して前記水検出手段の出力に応じて特性が変化するフィルタによるフィルタリング処理を行う音声信号処理装置と該音声信号処理装置が出力する音声信号を記録する記録装置とを有するビデオカメラと、前記防水ハウジングおよび前記ビデオカメラの間を電気的に接続し前記水検出手段の出力を前記音声信号処理装置に伝達できるようにした信号伝達手段とを備える。また、本発明の水中ビデオカメラシステムは、周囲の音声を集音し音声信号を出力するマイクロフォンと周囲の水圧を検出し結果を出力する水圧センサとを有する防水ハウジングと、前記マイクロフォンの出力に対して前記水圧センサの出力に応じて特性が変化するフィルタによるフィルタリング処理を行う音声信号処理装置と該音声信号処理装置が出力する音声信号を記録する記録装置とを有するビデオカメラと、前記防水ハウジングおよび前記ビデオカメラの間を電気的に接続し前記マイクロフォン及び前記水圧センサの出力を前記音声信号処理装置に伝達できるようにした信号伝達手段とを備える。また、本発明の水中ビデオカメラシステムは、周囲の音声を集音し音声信号を出力するマイクロフォンと周囲の環境が大気中であるか水中であるかを検出し結果を出力する水検出手段とを有する防水ハウジングと、前記マイクロフォンの出力に対して前記水検出手段の出力に応じて特性が変化するフィルタによるフィルタリング処理を行う音声信号処理装置と該音声信号処理装置が出力する音声信号を記録する記録装置とを有するビデオカメラと、前記防水ハウジングおよび前記ビデオカメラの間を電気的に接続し前記マイクロフォン及び前記水検出手段の出力を前記音声信号処理装置に伝達できるようにした信号伝達手段とを備える。
【発明の効果】
【０００８】
本発明によれば、水中ビデオカメラ及び水中ビデオカメラシステムにおいて、水中で動画を撮影する際、繁雑な操作を行わなくても、自動的に明瞭な音声を記録することができる。
【発明を実施するための最良の形態】
【０００９】
本発明を実施するための最良の形態を説明する。
【実施例１】
【００１０】
図１は、実施例１による水中ビデオカメラの構成を示すブロック図である。ビデオカメラ１には、マイクロフォン４、水圧センサ５、音声信号処理装置７および記録装置８を設ける。マイクロフォン４は、周囲の音声を集音し音声信号を出力する。水圧センサ５は、周囲の水圧を検出し結果を出力する。
【００１１】
図２は、音声信号処理装置７の構成を示すブロック図である。音声信号処理装置７は、図２に示す通り、音声フィルタ１０およびフィルタ特性テーブル１１を有する。
【００１２】
ビデオカメラを設計する際に、本ビデオカメラと同等あるいは似た形状のモデルを用い、いくつかの水圧の水中において、音声の伝達関数を測定し、上記伝達関数の逆数をフィルタ特性テーブル１１に記録しておく。
【００１３】
フィルタ特性テーブル１１は、入力として与えられる水圧信号に最も近い水圧において記録されたフィルタ特性を、音声フィルタ１０に与える。
【００１４】
音声フィルタ１０は、フィルタ特性テーブル１１から与えられたフィルタ特性を、自音声フィルタ１０の特性として動的に設定し、音声入力信号に対しフィルタリング処理を行い、音声出力信号を出力できるようにする。
【００１５】
ユーザが、ビデオカメラ１の電源を投入する、あるいは、撮影を開始するといった操作を行うと、マイクロフォン４および水圧センサ５の出力が、音声信号処理装置７に伝達される。
【００１６】
音声信号処理装置７は、前述の通りカメラを設計する際にフィルタ特性テーブル１１に記録されたいくつかのフィルタ特性のうち、水圧センサ５の出力に最も近い水圧において記録されたフィルタ特性を音声フィルタ１０の特性として設定し、マイクロフォン４の出力を音声入力信号としてフィルタリング処理し、音声出力信号として出力する。
【００１７】
音声出力信号は、記録装置８に記録される。
【実施例２】
【００１８】
図３は、実施例２による水中ビデオカメラの構成を示すブロック図である。図３に示す通り、本実施例２は、実施例１の水圧センサ５の代わりとして、外部環境が大気中であるか水中であるかを検出し、結果を出力する水検出手段６を用いた構成となっている。
【００１９】
この水検出手段６は、２つの金属端子を外部に露出させ、端子間のインピーダンスを計測することなどによって、実現できる。すなわち、この計測されたインピーダンスなどを、実施例１における水圧センサ５の水圧信号の代わりとすることにより、実施例１に示したようなフィルタリング処理が可能となる。この場合、水圧センサを設けた場合のように周囲の水圧を詳細に検出することはできなくなるが、水圧センサを設けた場合よりも簡便に外部環境が大気中であるか水中であるかの検出ができるようになる。
【実施例３】
【００２０】
図４は、実施例３による水中ビデオカメラシステムの構成を示すブロック図である。図４に示すように、本実施例３では、実施例１における水圧センサ５を、ビデオカメラ１ではなく防水ハウジング３に設け、水圧センサ５の出力を、音声信号処理装置７へ伝達できるようにした信号伝達手段２を設けている構成となっている。
【００２１】
防水ハウジング３は、ビデオカメラ１に取付け可能で、ビデオカメラ１を防水とすることが可能である。具体的には、防水ハウジング３の内側と、ビデオカメラ１の外側に、それぞれ金属端子を設け、防水ハウジング３にビデオカメラ１をセットした時に上記金属端子同士が接続するようにすることで実現できる。これにより、ビデオカメラ１に防水性能を備える必要がなくなり、さらに水圧センサ５をビデオカメラ１から分離できるようになるので、ビデオカメラ１をより小型かつ軽量にすることができる。
【実施例４】
【００２２】
図５は、実施例４による水中ビデオカメラシステムの構成を示すブロック図である。図５に示すように、本実施例４では、実施例２における水検出手段６を、ビデオカメラ１ではなく防水ハウジング３に設け、水圧センサ５の出力を、音声信号処理装置７へ伝達できるようにした信号伝達手段２を設けている構成となっている。
【００２３】
防水ハウジング３は、ビデオカメラ１に取付け可能で、ビデオカメラ１を防水とすることが可能である。具体的には、防水ハウジング３の内側と、ビデオカメラ１の外側に、それぞれ金属端子を設け、防水ハウジング３にビデオカメラ１をセットした時に上記金属端子同士が接続するようにすることで実現できる。これにより、ビデオカメラ１に防水性能を備える必要がなくなり、さらに水検出手段６をビデオカメラ１から分離できるようになるので、ビデオカメラ１をより小型かつ軽量にすることができる。
【実施例５】
【００２４】
図６は、実施例５による水中ビデオカメラシステムの構成を示すブロック図である。
【００２５】
図６に示すように、本実施例５は、実施例３におけるマイクロフォン４をビデオカメラ１ではなく防水ハウジング３に設け、マイクロフォン４の出力を、音声信号処理装置７へ伝達できるようにした信号伝達手段２を設けている構成となっている。これにより、水圧センサ５ばかりでなく、マイクロフォン４をビデオカメラ１から分離できるようになるので、ビデオカメラ１をより小型かつ軽量にすることができる。
【実施例６】
【００２６】
図７は、実施例６による水中ビデオカメラシステムの構成を示すブロック図である。
【００２７】
図７に示すように、本実施例６は、実施例４におけるマイクロフォン４をビデオカメラ１ではなく防水ハウジング３に設け、マイクロフォン４の出力を、音声信号処理装置７へ伝達できるようにした信号伝達手段２を設けている構成となっている。これにより、水検出手段６ばかりでなく、マイクロフォン４をビデオカメラ１から分離できるようになるので、ビデオカメラ１をより小型かつ軽量にすることができる。
【図面の簡単な説明】
【００２８】
【図１】実施例１による水中ビデオカメラの構成を示すブロック図である。
【図２】音声信号処理装置の構成を示すブロック図である。
【図３】実施例２による水中ビデオカメラの構成を示すブロック図である。
【図４】実施例３による水中ビデオカメラシステムの構成を示すブロック図である。
【図５】実施例４による水中ビデオカメラシステムの構成を示すブロック図である。
【図６】実施例５による水中ビデオカメラシステムの構成を示すブロック図である。
【図７】実施例６による水中ビデオカメラシステムの構成を示すブロック図である。
【符号の説明】
【００２９】
１  ビデオカメラ
２  信号伝達手段
３  防水ハウジング
４  マイクロフォン
５  水圧センサ
６  水検出手段
７  音声信号処理装置
８  記録装置
１０  音声フィルタ
１１  フィルタ特性テーブル
【図１】
2008166948.tif 000003
【図２】
2008166948.tif 000004
【図３】
2008166948.tif 000005
【図４】
2008166948.tif 000006
【図５】
2008166948.tif 000007
【図６】
2008166948.tif 000008
【図７】
2008166948.tif 000009